(57)【特許請求の範囲】
【請求項１】
消火用具に充填される液体消火剤・防火剤であって、
溶媒がこしき海洋深層水であり、
溶質として、前記液体消火剤・防火剤１０００ｍｌ当たり、
１）ＮａＣｌ２０〜４０ｇと、
２）リン酸水素二アンモニウム（（ＮＨ４）２ＨＰＯ４）１００〜２５０ｇと、
３）炭酸水素ナトリウム（ＮａＨＣＯ３）及び／または炭酸水素アンモニウム（ＮＨ４ＨＣＯ３）を合計で６０〜１５０ｇと、
４）尿素（ＣＨ４Ｎ２Ｏ）４０〜８０ｇと、
５）硫安（（ＮＨ４）２ＳＯ４）８０〜１２０ｇと、
６）プロピレングリコール１５０〜３００ｇを含有する、
液体消火剤・防火剤。
【請求項２】
前記成分３）は炭酸水素アンモニウム（ＮＨ４ＨＣＯ３）６０〜１２０ｇである、請求項１に記載の液体消火剤・防火剤。
【請求項３】
さらに、適量の界面活性剤を含む、請求項１または請求項２に記載の液体消火剤・防火剤。
【請求項４】
１）常温のこしき海洋深層水８００ｍｌに、ＮａＣｌ２０〜４０ｇを溶解してパイレンポリオレフィン素材のフィルターでろ過をする工程と、
２）得られた溶液を加温してリン酸水素二アンモニウム（（ＮＨ４）２ＨＰＯ４）１００〜２５０ｇを添加・溶解してパイレンポリオレフィン素材のフィルターでろ過をする工程と、
３）得られた溶液を加温して炭酸水素ナトリウム（ＮａＨＣＯ３）及び／または炭酸水素アンモニウム（ＮＨ４ＨＣＯ３）を合計で６０〜１５０ｇを添加・溶解してパイレンポリオレフィン素材のフィルターでろ過をする工程と、
４）得られた溶液を加温して尿素（ＣＨ４Ｎ２Ｏ）４０〜８０ｇを添加・溶解してパイレンポリオレフィン素材のフィルターでろ過をする工程と、
５）得られた溶液を加温して硫安（（ＮＨ４）２ＳＯ４）８０〜１２０ｇを添加・溶解してパイレンポリオレフィン素材のフィルターでろ過をする工程と、
６）得られた溶液にプロピレングリコール１５０〜３００ｇを入れ混ぜる工程と、
７）得られた溶液を適量のこしき海洋深層水で希釈して、該１）〜７）の全量を１０００ｍｌとする工程からなる、請求項１に記載の液体消火剤・防火剤の製造方法。
【請求項５】
１）常温のこしき海洋深層水５００ｍｌに、ＮａＣｌ２０〜４０ｇを溶解してパイレンポリオレフィン素材のフィルターでろ過をする工程と、
２）得られた溶液を４０〜５０℃に加温してリン酸水素二アンモニウム（（ＮＨ４）２ＨＰＯ４）１００〜２５０ｇを添加・溶解してパイレンポリオレフィン素材のフィルターでろ過をする工程と、
３）得られた溶液を５０〜６０℃に加温して炭酸水素ナトリウム（ＮａＨＣＯ３）及び／または炭酸水素アンモニウム（ＮＨ４ＨＣＯ３）を合計で６０〜１５０ｇを添加・溶解してパイレンポリオレフィン素材のフィルターでろ過をする工程と、
４）得られた溶液を６０〜７０℃に加温して尿素（ＣＨ４Ｎ２Ｏ）４０〜８０ｇを添加・溶解してパイレンポリオレフィン素材のフィルターでろ過をする工程と、
５）得られた溶液を７０〜７５℃に加温して硫安（（ＮＨ４）２ＳＯ４）８０〜１２０ｇを添加・溶解してパイレンポリオレフィン素材のフィルターでろ過をする工程と、
６）得られた溶液にプロピレングリコール１５０〜３００ｇを混ぜる工程と、
７）得られた溶液を適量のこしき海洋深層水で希釈して、該１）〜７）の全量を１０００ｍｌとする工程からなる、請求項１に記載の液体消火剤・防火剤の製造方法。
【請求項６】
さらに、適量の界面活性剤を入れる工程を含む、請求項４または請求項５に記載の液体消火剤・防火剤の製造方法。
【請求項７】
液体消火剤・防火剤のｐＨ値を８以下に抑えることを特徴とする、請求項４〜６のいずれかに記載の液体消火剤・防火剤の製造方法。
【請求項８】
請求項１〜３のいずれかに記載の液体消火剤・防火剤を充填してなる、投てき用消火用具、ハンドスプレー消火・防火用具、エアゾール消火・防火用具、またはステンレス消火器。
【発明の詳細な説明】
【技術分野】
【０００１】
本発明は、消火用具・消火器に充填される液体消火剤・防火剤、該液体消火剤・防火剤の製造方法、及び消火用具・消火器に関するものである。
【背景技術】
【０００２】
消火用具・消火器に充填される液体消火剤については、従来種々の成分でそれぞれの組成比を種々に調整したさまざまな液体消火剤が提案されている。特許文献１乃至３参照。
消火用具・消火器に充填される液体消火剤については、強力な消火能力を有し、消火剤の各成分はそれぞれ消火剤としての作用機能を有し、それらの混合量のバランスを取る必要があり、また溶解状態を長期にわたって維持し、また低温で安定性がなければならない。
特許文献１は、消火性能が今一不十分である。特許文献２は、消火剤の各溶液の粒子を超微細化し混合することによって、各溶液を順次溶解する時の温度調整を不要とし溶解密度を高めて混合しているが、超微粒化装置により超微粉化するので余分なコスト及び工程が含まれる。特許文献３は、炭酸水素ナトリウムを溶解後に、混合した薬液を８５℃から９０℃の温度で２０分から３０分の間保つことにより消火に不要な量の炭酸ガス・アンモニアを排出して、消火用具や樹脂容器に充填した場合に、周囲温度の影響で内圧が上昇して容器を破損するなどの事故を防げて安全であることを開示している。この場合には途中で８５℃から９０℃の温度で２０分から３０分の間保つ工程が入る為製造方法が冗長になり、また９０℃まで上げるので消火剤成分が熱分解する恐れがある。このような状況であるので、従来提案されている液体消火剤及びその製造方法は改良の余地があった。また消火剤に沈殿物が含まれる事があり、スプレー式消火用具や消火器のノズルに詰まる事もあり品質の安定にかけていた。
【先行技術文献】
【特許文献】
【０００３】
【特許文献１】特許第４４３７０５３号（株式会社ボネックス）
【特許文献２】特開２０１５−６１５７４号（ハッピージャパン有限会社）
【特許文献３】特開２０１３−７５１２９（畠山繁明等）
【発明の概要】
【発明が解決しようとする課題】
【０００４】
本発明は、消火剤の各成分の混合量のバランスを取って調整することにより、強力な消火能力を有し、また溶解状態を長期にわたって維持することができ、環境に優しい消火用具充填用液体消火剤の製造方法を提供することを目的とする。特に、重炭酸塩が重炭酸アンモニウムの場合には低温でより安定性のある消火用具充填用液体消火剤を提供することができる。本発明は、さらにこれらの消火用具充填用液体消火剤の製造方法を提供することを目的とする。また希釈する水をこしき海洋深層水にする事により、消火能力向上、消火剤溶解してパイレンポリオレフィン素材のフィルターでろ過をする事で消火剤の沈殿物が解消される。（沈殿物があると、スプレー式消火用具や消火器などノズルに詰まる事がある。）また今日までの液体消火剤は消火剤としての活用のみであったが、本発明は防火剤としても活用可能である。またプロピレングリコールを混合する事により寒冷地でも凍らない液体消火剤・防火剤を目的とする。
【課題を解決するための手段】
【０００５】
本発明は、以下の構成を採ることを特徴とする。
１  ・消火用具に充填される液体消火剤・防火剤であって、
１）塩化ナトリウム（ＮａＣｌ）２０〜４０ｇと、
２）リン酸水素二アンモニウム（（ＮＨ４）２ＨＰＯ４）１００〜２５０ｇと、
３）炭酸水素ナトリウム（ＮａＨＣＯ３）及び／または炭酸水素アンモニウム（ＮＨ４ＨＣＯ３）を合計で６０〜１５０ｇと、
４）尿素（ＣＨ４Ｎ２Ｏ）５０〜８０ｇと、
５）硫安（（ＮＨ４）２ＳＯ４）８０〜１２０ｇと
６）プロピレングリコール  １５０ｇ〜３００ｇと
７）こしき海洋深層水と溶解する
８）溶解時には溶解してパイレンポリオレフィン素材のフィルターでろ過する
９）該１）〜８）全量を１０００ｍｌとした液体消火剤・防火剤。
２・前記成分３）は炭酸水素アンモニウム（ＮＨ４ＨＣＯ３）６０〜１５０ｇである、１に記載の液体消火剤・防火剤。
３・さらに、適量の界面活性剤を含む、１または２に記載の液体消火剤・防火剤。
４・消火用具に充填される液体消火剤・防火剤であって、常温のこしき海洋深層水８００ｍｌに、ＮａＣｌ２０〜４０ｇを溶解してパイレンポリオレフィン素材のフィルターでろ過をする工程と、得られた溶液を加温してリン酸水素二アンモニウム（（（ＮＨ４）２ＨＰＯ４）１００〜２５０ｇを添加・溶解してパイレンポリオレフィン素材のフィルターでろ過をする工程と、得られた溶液を加温して炭酸水素ナトリウム（ＮａＨＣＯ３）及び／または炭酸水素アンモニウム（ＮＨ４ＨＣＯ３）を合計で６０〜１５０ｇを添加・溶解してパイレンポリオレフィン素材のフィルターでろ過をする工程と、得られた溶液を加温して尿素（ＣＨ４Ｎ２Ｏ）５０〜８０ｇを添加・溶解してパイレンポリオレフィン素材のフィルターでろ過をする工程と、得られた溶液を加温して硫安（（ＮＨ４）２ＨＰＯ４）８０〜１２０ｇを添加・溶解してパイレンポリオレフィン素材のフィルターでろ過をする工程と、得られた溶液にプロピレングリコールを入れ混ぜる工程と得られた溶液を適量のこしき海洋深層水で希釈して、該１）〜７）の全量を１０００ｍｌとした液体消火剤・防火剤を製造する方法。
５・常温のこしき海洋深層水５００ｍｌに、ＮａＣｌ２０〜４０ｇをパイレンポリオレフィン素材のフィルターでろ過をしてを用いて溶解する工程と、
得られた溶液を４０〜５０°Ｃに加温してリン酸水素二アンモニウム（（ＮＨ４）２ＨＰＯ４）１００〜２５０ｇを添加・溶解してパイレンポリオレフィン素材のフィルターでろ過をする工程と、
得られた溶液を５０〜６０°Ｃに加温して炭酸水素ナトリウム（ＮａＨＣＯ３）及び／または炭酸水素アンモニウム（ＮＨ４ＨＣＯ３）を合計で６０〜１５０ｇを添加・溶解してパイレンポリオレフィン素材のフィルターでろ過をする工程と、
得られた溶液を６０〜７０°Ｃに加温して尿素（ＣＨ４Ｎ２Ｏ）５０〜８０ｇを添加・溶解してパイレンポリオレフィン素材のフィルターでろ過をする工程と、
得られた溶液を７０〜７５°Ｃに加温し硫安（（ＮＨ４）２ＨＰＯ４）８０〜１２０ｇを添加・溶解してパイレンポリオレフィン素材のフィルターでろ過をする工程とプロピレングリコール  １５０ｇ〜３００ｇを混ぜる工程と得られた溶液を適量のこしき海洋深層水で希釈して、全量を１０００ｍｌとした４に記載の液体消火剤・防火剤を製造する方法。
６・さらに、適量の界面活性剤を入れる工程を含む、４または５に記載の液体消火剤・防火剤の製造方法。
７・液体消火剤・防火剤のＰＨ値を８以下に抑える製造方法。
８・１もしくは３のいずれかに記載の液体消火剤・防火剤を充填した消火用具であって、該消火用具は投てき用消火用具、ハンドスプレー消火用具及びエアゾール消火用具のいずれかである消火用具、並びにステンレス消火器。
【発明の効果】
【０００６】
本発明の消火用具に充填される液体消火剤・防火剤及びそれを製造する方法によれば、消火剤の各成分の混合量のバランスを取ることにより強力な消火能力を有し、また溶解してパイレンポリオレフィン素材のフィルターでろ過する事により消火剤の沈殿物を取り除く事が可能で、プロピレングリコールを混ぜる事により−２０°Ｃ程度の低温環境でも消火能力を有するので寒冷地でも利用できる。特に、重炭酸塩が重炭酸アンモニウムの場合には低温でより安定性のある消火用具充填用液体消火剤・防火剤を提供することができる。またこしき海洋深層水を用いる事により消火能力向上が可能。
【発明を実施するための形態】
【０００７】
先ず、本発明の消火剤を製造する際に検討した事項について述べる。以下に述べるＡ．燃焼のメカニズム、Ｂ．消火剤による消火メカニズム及びＣ．消火剤による消火メカニズムＤ．防火の原理を念頭に置いて、液体消火剤・防火剤の消火剤成分の種類及び添加量を詳細に検討した結果本発明に至った。
Ａ．燃焼のメカニズム
燃焼のメカニズムは、加熱→分解（ガス化）→着火→燃焼→炎の拡大連鎖という過程をとる。
Ｂ．消火のメカニズム
本発明の製造方法で得られる液体消火剤・防火剤の消火剤成分は以下のいずれかのメカニズムに基づく。
１．酸素の遮断または酸素を遮断する層を形成する。
２．燃焼ガスの発生を抑制する。
３．燃焼物の温度を下げる。
４．不燃ガスを発生させ可燃性ガスを希釈する。
００１０
Ｃ．消火剤による消火メカニズム
消火剤による消火メカニズムは、以下のものが挙げられる。
１．窒息効果
燃焼物の熱エネルギーにより気化生成したガス、アンモニアガス・炭酸ガス（二酸化炭素ガス）・窒素ガス・水蒸気による燃焼ガスの希釈効果と空気遮断による窒息効果
２．吸熱効果
液体消火剤・防火剤の気化する際の昇華熱による降温効果
３．抑制効果
燃焼物に消火液が残存することによる燃焼物の難燃化効果（不燃化）により燃焼の持続及びガスの発生を抑制する。
Ｄ．防火の原理
難燃性を高める事により防火効果が得られる。
上記それぞれの効果により、初期消火に即応して消火し火災の大きさによっては消火しきれなくても火の回りを遅くすることで、避難する時間を確保し、逃げ遅れによる事故を防ぎ、延焼や類焼を抑制することができる。
以下に本発明に係る消火用具に充填する液体消火剤・防火剤及びその製造方法を詳細に説明する。まず、本発明の液体消火剤・防火剤及びその製造方法に用いる消火剤成分について説明をする。上記  １、４の混合比において、常温のこしき海洋深層水５００ｍｌに対しての添加量を示し、常温水の量を増量させる場合はそれに比例して各消火剤成分を増加させる。液体消火剤・防火剤の製造方法に用いる消火剤成分の種類及び添加量を調整することによって、消火剤の各成分の混合量のバランスを取れ、強力な消火能力を有し、また溶解してパイレンポリオレフィン素材のフィルターでろ過する事により沈殿物がなくなり品質の安定に維持することが可能な液体消火剤・防火剤が得られる。特に、重炭酸塩が重炭酸アンモニウムの場合には低温でより安定性のある消火用具消火器充填用液体消火剤・防火剤が得られる。また、リン酸水素アンモニウム、硫酸アンモニウム及び尿素の混合比と溶解温度調整で防火剤としての活用も可能である。
プロピレングリコールを用いる事により寒冷地での液体消火剤・防火剤として利用可能である。
１．こしき海洋深層水
こしき海洋深層水は消火を助けるマグネシウムやナトリウムが多く含まれている。
２・パイレンポリオレフィン素材のフィルター
パイレンポリオレフィン素材のフィルターは酸・アルカリに対し強い耐性を持ち良好な素材で、耐熱性も熱軟化温度が１６０℃。
３．塩化ナトリウムＮａＣｌ
塩化ナトリウムは、液体消火剤・防火剤を製造する際の触媒として機能し、常温のこしき海洋深層水８００ｍｌに対して２０〜４０ｇ添加・溶解してパイレンポリオレフィン素材のフィルターでろ過する。本発明の液体消火剤・防火剤の製造方法に用いる消火剤成分の組合せに対しては２０〜４０ｇが触媒活性を示すのに適切な範囲であり、２０ｇ以下では触媒活性が不十分であり、一方４０ｇで触媒活性が飽和するのでそれ以上は添加する必要はない。塩化ナトリウムは、消火剤の凝固点を降下させる作用がある。
以下のリン酸水素アンモニウム、硫酸アンモニウム及び尿素は、難燃剤として作用機能をし、炭酸水素ナトリウム及び炭酸水素アンモニウムは水、二酸化炭素、アンモニアガスを発生し、これらが燃焼ガスを希釈して延焼を遮断して燃焼を止める。
４．リン酸水素二アンモニウム（（ＮＨ４）２ＨＰＯ４）
リン酸水素二アンモニウム（ＮＨ４）２ＨＰＯ４は、反応式（ＮＨ４）２ＨＰＯ４→Ｈ３ＰＯ４＋２ＮＨ３に従って反応し、アンモニアガス（ＮＨ３）を生じる。アンモニアガス（ＮＨ３）は、燃焼物の酸化を抑制するとともに、その気化熱により燃焼物を冷却することができる。気化しなかった薬剤は、燃焼物に付着・残留して燃焼物を難燃化する。
リン酸水素二アンモニウムを上記１で得られた塩化ナトリウム水溶液に加温下に添加する。添加量は１２０〜２５０ｇとする。加温下とは、加温した塩化ナトリウム水溶液にリン酸水素二アンモニウムを添加してもよいし、リン酸水素二アンモニウムを塩化ナトリウム水溶液に添加した後、加温して溶解しても良い。本発明の液体消火剤・防火剤の製造方法に用いる消火剤成分の組合せに対しては、１で得られた塩化ナトリウム水溶液に対しての添加量は１２０〜２５０ｇとする。１２０ｇ以下では消火能力が不十分であり防火効果も弱く、一方２５０ｇでは他の成分の混合比の範囲に影響を与えるため混合バランスを担保するために２５０ｇ以下とした。なお、リン酸水素二アンモニウムを塩化ナトリウム水溶液に５０〜６０℃に加温下に添加・溶解してパイレンポリオレフィン素材のフィルターでろ過することが好ましい。
５．炭酸水素アンモニウム（ＮａＨＣＯ３）または炭酸水素アンモニウム（ＮＨ４ＨＣＯ３）
炭酸水素ナトリウムまたは炭酸水素アンモニウムは、火災の熱を受けると分解されて、反応式２ＮａＨＣＯ３→Ｎａ２ＣＯ３＋Ｈ２Ｏ＋ＣＯ２または反応式ＮＨ４ＨＣＯ３→ＮＨ３＋ＣＯ２＋Ｈ２Ｏ従って反応し、水（Ｈ２０）、二酸化炭素（ＣＯ２）を生じ、上述のように消火作用に寄与する。
炭酸水素ナトリウムまたは炭酸水素アンモニウムを上記２で得られたリン酸水素二アンモニウムを加温後に添加・溶解する。本発明の液体消火剤・防火剤に用いる消火剤成分の組合せに対しては、添加量は１２５〜２６０ｇとする。１２５ｇ以下では消火能力が不十分であり、一方２６０ｇでは他の成分の混合比の範囲に影響を与えるため混合バランスを担保するために２６０ｇ以下とした。
炭酸水素ナトリウムまたは炭酸水素アンモニウムを上記２で得られたリン酸水素二アンモニウムに５０〜６０℃に加温下に添加することが好ましい。なお、必要に応じて炭酸水素ナトリウム及び炭酸水素アンモニウムを合計で６０〜１５０ｇを添加しても良い。
なお、炭酸水素アンモニウムは消火液の温度が１５℃より高い温度で安定に溶解された状態であるが、消火液の温度が１５℃以下となると結晶化する傾向がある為、消火液の温度が１５℃以下で保存・使用される場合には炭酸水素アンモニウムのみを６０〜１５０ｇ添加することが好ましい。
６．尿素（ＣＨ４Ｎ２Ｏ）
尿素自体は火災時に燃焼しないが、分子中にＮを含有しているため、燃焼の熱によって二酸化炭素、窒素酸化物及びアンモニアガスを発生する。本発明の液体消火剤・防火剤に用いる消火剤成分の組合せに対しては、３で得られた水溶液を加温し尿素を５０〜８０ｇ添加・溶解してパイレンポリオレフィン素材のフィルターでろ過する。添加量は５０〜８０ｇとする。５０ｇ以下では消火能力が不十分であり、一方８０ｇより多いと他の成分の混合比の範囲に影響を与えるため混合バランスを担保するために８０ｇ以下とした。なお、上記３）で得られた水溶液を７０〜９０℃に加温して尿素を添加・溶解してパイレンポリオレフィン素材のフィルターでろ過することが好ましい。
７．硫酸アンモニウム（（ＮＨ４）２ＨＰＯ４）
硫酸アンモニウムはリン酸水素二アンモニウムよりも劣るが、吸熱量放熱量の差が大きく、重量減少量が大きく難熱材として適している。本発明の液体消火剤・防火剤の製造方法に用いる消火剤成分の組合せに対しては、硫酸アンモニウムを４で得られた水溶液に対して加温下に８０〜１２０ｇ添加・溶解してパイレンポリオレフィン素材のフィルターでろ過する。加温下とは、加温した上記４で得られた水溶液に硫酸アンモニウムを添加してもよいし、硫酸アンモニウムを上記４で得られた水溶液に添加した後、加温して溶解しても良い。８０ｇ以下では消火能力が不十分であり、一方１２０ｇより多いと他の成分の混合比の範囲に影響を与えるため混合バランスを担保するために１２０ｇ以下とした。なお、を塩化ナトリウム水溶液に７０〜９０℃に加温して添加・溶解してパイレンポリオレフィン素材のフィルターでろ過することが好ましい。
８．プロピレングリコール（Ｃ３Ｈ８Ｏ２）
プロピレングリコールは食品や化粧品に用いられる事もある環境に優しい、不凍液である。プロピレングリコールを１５０ｇ〜３００ｇを５で得られた水溶液に混ぜる。１５０ｇ以下では−２０度で凍ってしまい、３００ｇより多いと他の成分の混合比の範囲に影響を与えるため混合バランスを担保するために３００ｇ以下とした。
９．界面活性剤
上記７で得られた液体消火剤・防火剤を温度８〜１２℃に下げて、７００〜８００ｍｌの容量の消火用具容器に充填し、界面活性剤を３〜１５容量％添加し、栓で容器を密封する。その後、天地を逆にしその状態を所望の時間保持して栓から漏れがないかを確認する。界面活性剤は、消火の際に燃焼材の表面に液体消火剤・防火剤を拡散させ燃焼材表面に水成膜を形成する。本発明で用いる界面活性剤としては、例えば、アルファ―フォーム（登録商標、ヤマトプロテック株式会社製）等のフッ素系界面活性剤を用いることができる。上記６で得られた液体消火剤・防火剤を８〜１２℃まで温度を下げ、例えば６２０ｍｌを採って６５０ｍｌの消火用具容器に充填し、次に３０ｍｌの水成膜形成用界面活性剤を消火用具容器に充填して液体消火剤・防火剤を充填した消火用具が得られる。
なお、薬剤の飽和状態により低温で結晶が発生する場合があるので、全体としてバランスを取る為増量する薬剤成分もあれば減らす薬剤成分もあり、各薬剤の添加量は幅をもたせてある。また、製造時において気温湿度環境状態で溶解の状態が変わる為加温温度帯及び加温スピードを調整する。
このようにして製造された本発明に係る消火剤は消火用具に充填されて使用される。充填される容器は、消火剤の品質が変化することなく安定に保存でき、消火剤により腐食されることのない容器（金属製容器や軽量な樹脂容器など種々の容器）を用いることができる。
本発明の液体消火剤・防火剤を充填して投擲用消火用具とする場合には、耐腐食性の容器に封入され、投擲時に燃焼物等との衝突により破裂可能となっている。容器は、たとえば、ポリ塩化ビニル、ポリエチレン、およびポリプロピレンから選択される材料、またはそれらの混合物によって形成されている。容器の容積は、例えば、６００〜７００ｍｌとすればよい。容器の容積が６００ｍｌ未満の場合には、消火液剤の量が不足し、複数の投擲用消火用具を用いなければ鎮火できないおそれがあり、７００ｍｌ以上であると重量が増して操作性が落ちる恐れがある。容器は容易に着脱可能なスタンドで柱等に保持させることができる。
【実施例】
【０００８】
本発明に係る液体消火剤・防火剤を下記の方法によって製造した。
１）常温のこしき海洋深層水５００ｍｌに、ＮａＣｌ２０ｇを溶解してパイレンポリオレフィン素材のフィルターでろ過し、
２）得られた溶液を５０〜６０°Ｃに加温してリン酸水素二アンモニウム１００ｇを添加・溶解してパイレンポリオレフィン素材のフィルターでろ過し、
３）得られた溶液を５０〜６０°Ｃに加温して炭酸水素アンモニウム６０ｇを添加・溶解してパイレンポリオレフィン素材のフィルターでろ過し、
４）得られた溶液を６０〜７０°Ｃに加温して尿素（ＣＨ４Ｎ２Ｏ）４０ｇを添加・溶解してパイレンポリオレフィン素材のフィルターでろ過し、
５）得られた溶液を７０〜７５°Ｃに加温して硫安（（ＮＨ４）２ＨＰＯ４）９０ｇを添加・溶解してパイレンポリオレフィン素材のフィルターでろ過し、
６）得られた溶液をプロピレングリコール  １５０ｇを混ぜ
７）得られた溶液を適量のこしき海洋深層水で希釈して、全量１０００ｍｌの液体消火剤・防火剤を得た。
上記７で得られた液体消火剤・防火剤を６２０ｍｌを６５０ｍｌの消火用具用容器に充填し、次に３０ｍｌのフッ素系界面活性剤を添加し、密閉後均一に混合し泡立て液体消火剤・防火剤封入消火用具を準備した。全量１０００ｍｌの液体消火剤・防火剤ではなく、より多量の液体消火剤・防火剤を作成するためには、上記１）〜７）の量を比例増量する。なお、液体消火剤・防火剤を炭酸水素アンモニウム１００ｇを用いて作成したが、炭酸水素アンモニウム１００ｇの代わりに炭酸水素ナトリウム１００ｇを用いて作成した液体消火剤・防火剤についても、下記の実施例の結果と同等の結果が得られた。
上で準備した本発明の液体消火剤・防火剤の消火能力・防火効果を確認するため、
以下の実験を行った。
なお、現在一般的に行われている小屋消火実験では、ＯＳＢ（Ｏｒｉｅｎｔｅｄ  Ｓｔｒａｎｄ  Ｂｏａｒｄ）合板（厚さ９ｍｍ）で作った４ｍ×２ｍ×２ｍ＝１６ｍ３の容積の直方体で前面を解放した床付小屋での種火に灯油をまいて延焼をする直前の消火試験を行っていた。本発明の液体消火剤・防火剤の消火能力が非常に大きく、従来の１６ｍ３の小屋の消火試験では小屋の容積が小さすぎるので、容量を３１．１ｍ３、１９．３ｍ３と大きくして消火試験を行った。
また防火効果実験はコピー用紙に溶液を噴霧しておいて乾かして着火する実験と草に溶液を噴霧して着火する防火実験を行った。
実験例１
ＯＳＢ合板（Ｏｒｉｅｎｔｅｄ  Ｓｔｒａｎｄ  Ｂｏａｒｄ）（厚さ９ｍｍ）で３．６ｍ×２．４ｍ×３．６ｍ＝３１．１ｍ３の容積の直方体で前面を解放した床付小屋を組立て、床に置いた種火にひしゃくで約１００ｍｌの灯油を５〜６杯かけた後炎が周囲の壁及び天井部分のＯＳＢ合板に燃え移る直前に消火用具を２〜３ｍ手前から小屋の中に投げ込み何本で消火できるかを確認した。３回の該確認試験の結果、いずれも上記６５０ｍｌの液体消火剤・防火剤封入消火用具を１本用いて完全に消火することができた。
実験例２
同様にＯＳＢ合板で２．７×２．７×２．７＝１９．６ｍ３の消火実験小屋を作製し、ひしゃくで約１００ｍｌの灯油を５，６杯かけた以外は同様の方法で消火実験を数十回繰り返し行ったところ、すべての場合上記６５０ｍｌの液体消火剤・防火剤封入消火用具を１本用いて完全に消火できた。
上記の実験例１及び実験例２から、上記ＯＳＢ合板製小屋の消火実験での本発明の液体消火剤・防火剤の能力は少なくとも１６ｍ３とすることができる。
実験例３
ＯＳＢ合板で、１，２ｍ×６ｍの床を作り、その床の幅３００ｍｍ長さ５０００ｍｍの範囲にガソリン２リットルをまき、ガソリンに点火すると炎が幅３００ｍｍ長さ５０００ｍｍの上記範囲に広がった。投擲ボトルを投げて炎を消す消火実験を上記液体消火剤・防火剤封入消火用具を用いて３回行ったが、３回ともボトル１本もしくは２本で消火できた。この実験例から、本発明の液体消火剤・防火剤は火災の時避難路確保に有効であることが分かった。
実験例４
Ａ火災対応としてクリブ消火試験を行った。３０ｍｍ×４０ｍｍ×９００ｍｍの角材を１１０本２０段に組み上げてクリブを形成し、高さ４００ｍｍの燃焼台に載せて、燃焼台の下からガソリン１．５リットルを３分間燃焼させ炎をクリブに延焼させる。３分後延焼したクリブに本発明の消火剤封入の消火用具を投てき消火を行った。５回の消火実験でそれぞれ２本の投てき用消火用具で消火が出来、３分以降の再燃はなかった。
実験例５
実験例４と同様のクリブを使用し、消火用具１本に封入した量の消火剤を６リットルの水で割り、クリブの消火実験を３回行った。３回ともひしゃく（ひしゃく１杯５００ｍｌ）３杯で消火ができた。水で割った液体消火剤・防火剤とは、例えば６２０ｍｌの液体消火剤・防火剤＋３０ｍｌの界面活性剤からなる液体消火剤・防火剤を水６〜８リットルで割ったものをひしゃくで散布するものを指す。本実験例の消火は、本発明の消火用具容器に充填した液体消火剤を取り出し水で割ったものを使用したが、液体消火剤・防火剤を容器に入れずに、直に水で希釈した液体消火剤も同様に消火に有効であることが分かった。
従って、本発明の液体消火剤・防火剤薬剤は、水で割ることによって更に広範囲に薬剤を蒔き消火範囲を広げ念入りに消火作業ができる。
本発明の液体消火剤・防火剤は、界面活性剤を添加・混合した状態で充填された投てき用消火用具のみならず、その消火能力が高いのでハンドスプレー消火用具、エアゾール消火用具（Ｎ２ガス等を噴射剤として使用）ステンレス消火器等の形で用いることができる。
実験例６
溶液を−２０度の冷凍庫で２４時間保存したが凍る事なく使えた。
本発明の液体消火剤・防火剤は、肥料として使われるもの、化粧品として使われるもの、食品添加物として使われるもの等の安全性の高い成分を原料とし界面活性剤（水成膜形成用成分）３〜１０容量％を混合して、少量の石油火災にも対応するようになっている。
また、本発明の消火剤は、低温環境−２０°Ｃ付近でも消火能力を有する。
実験例７
溶液を噴霧したコピー用紙を乾させて着火マンで火をつけたが、紙は燃えず焦げただけ。
実験例８
溶液を噴霧した草を乾燥させて着火マンで火をつけたが、燃えず焦げただけ。
実験例９
３０ｍｍ×４０ｍｍ×９００ｍｍの角材１本に溶液を噴霧、乾燥させて着火マンで着火したが、火はつかず、着火マンを充てた所だけ焦げただけ。
本発明の液体消火剤・防火剤は消火能力を大幅に改善してあるので、消火に大いに役立ちまた防火剤としても有効である。
【要約】
消火用具に充填される液体消火剤・防火剤であって、
１）ＮａＣｌ２０〜４０ｇと、
２）リン酸水素二アンモニウム（（ＮＨ４）２ＨＰＯ４）１２０〜２５０ｇと、
３）炭酸水素ナトリウム（ＮａＨＣＯ３）及び／または炭酸水素アンモニウム（ＮＨ４ＨＣＯ３）６０〜１５０ｇと、
４）尿素（ＣＨ４Ｎ２Ｏ）５０〜８０ｇと、
５）硫安（（ＮＨ４）２ＳＯ４）８０〜１２０ｇと
６）プロピレングリコール１５０ｇ〜３００ｇとを、
７）上記１）〜６）をこしき海洋深層水と溶解してパイレンポリオレフィン素材のフィルターでろ過して、該１〜７の全量を１０００ｍｌとした液体消火剤・防火剤。液体消火剤・防火剤には好ましくは界面活性剤を含む。消火剤の各成分の混合量のバランスを取ることにより強力な消火能力・防火能力を有し、また溶解状態を長期にわたって維持することが可能な液体消火剤・防火剤を得ることができる。